(57)【要約】【課題】脳血流量を増加することができ、認知症の予防や、脳梗塞の再発防止等を図り得る新規な頭部装着具を提供する。【解決手段】人体の頭部に着けて使用される装着具であって、籾殻炭が充填又は保持されてなることを特徴とする。ここで、取り扱い性などの観点からは、前記籾殻炭は、パルプ材料に担持されてチップ状の成形体とされているのが好ましい。さらには、前記成形体の形状は、平板状、粒状及び塊状の少なくとも１つの形状であるのが好ましい。【選択図】図１
2016141893.tif 000002
【特許請求の範囲】
【請求項１】
人体の頭部に当てて使用される装着具であって、
籾殻炭が充填又は保持されてなることを特徴とする頭部装着具。
【請求項２】
前記籾殻炭がパルプ材料に担持されチップ状の成形体とされている請求項１記載の頭部装着具。
【請求項３】
前記成形体の形状が、平板状、粒状及び塊状の少なくとも１つの形状である請求項２記載の頭部装着具。
【発明の詳細な説明】
【技術分野】
【０００１】
本発明は、人体の頭部に着用されて使用される頭部装着具に関するものである。
【背景技術】
【０００２】
籾殻を燃焼させることによって得られる籾殻炭（籾殻燻炭）は、脱臭作用や消臭作用を有する。更に、近・遠赤外線放射作用を発現する。又、籾殻炭は、原料としての籾殻を無料同然で入手することができるため製造コストが安く、しかも、米を主食とする日本人にとっては、籾殻を原料とした籾殻炭に対するアレルギー反応が少なく、従って、籾殻炭を利用した製品は、比較的安全に使用することができる。
【０００３】
本発明者は、この籾殻炭の有する様々な作用を利用すべく、パルプ材料に籾殻炭を担持させてなる機能性詰め物を提案した(例えば、下記特許文献１参照)。この機能性詰め物をカバー内に充填し、布団や枕などの寝具として製造されたものは、使用者に良質な睡眠を与え、自律神経失調症などに起因する様々な心因性疾患の予防改善を促すことができる上、起床時のすっきり感の向上や疲労低減に伴うＥＤの改善等に非常に効果的であることが確認されている。
【先行技術文献】
【特許文献】
【０００４】
【特許文献１】特開２００８−１６１４４４号公報
【発明の概要】
【発明が解決しようとする課題】
【０００５】
このように籾殻炭を利用した製品には、人体に対し様々な効能を与えることが認められている。しかしながら、籾殻炭によって脳血流量が増加されるといった報告は未だなされていない。
【０００６】
本発明は、前記技術的課題を解決するために開発されたものであって、脳血流量を増加することができ、認知症の予防や、脳梗塞の再発防止等を図り得る新規な頭部装着具を提供することを目的とする。
【課題を解決するための手段】
【０００７】
前記目的を達成する本発明に係る頭部装着具は、人体の頭部に着けて使用される装着具であって、籾殻炭が充填又は保持されてなることを特徴とする。
【０００８】
ここで、取り扱い性などの観点からは、前記籾殻炭は、パルプ材料に担持されてチップ状の成形体とされているのが好ましい。
【０００９】
さらには、前記成形体の形状は、平板状、粒状及び塊状の少なくとも１つの形状であるのが好ましい。
【発明の効果】
【００１０】
本発明に係る頭部装着具によれば、副作用を生じさせることなく脳血流量を増加することができ、認知症の予防や改善、脳梗塞の再発防止や改善等を図り得る。
【図面の簡単な説明】
【００１１】
【図１】本発明に係る頭部装着具の一例を示す帽子の斜視図である。
【図２】成形体の構造を示す概説図である。
【図３】被験者Ａについて本発明に係る帽子を使用する前の脳血流量ＳＰＥＣＴ画像である。
【図４】被験者Ａについて本発明に係る帽子を使用した後の脳血流量ＳＰＥＣＴ画像である。
【図５】被験者Ｂについて本発明に係る帽子を使用する前の脳血流量ＳＰＥＣＴ画像である。
【図６】被験者Ｂについて本発明に係る帽子を使用した後の脳血流量ＳＰＥＣＴ画像である。
【図７】被験者Ｃについて本発明に係る帽子を使用する前の脳血流量ＳＰＥＣＴ画像である。
【図８】被験者Ｃについて本発明に係る帽子を使用した後の脳血流量ＳＰＥＣＴ画像である。
【発明を実施するための形態】
【００１２】
本発明に係る頭部装着具は、籾殻炭が充填又は保持されていることが大きな特徴である。後述の実施例で説明する本発明者等の実験によって、籾殻炭が充填又は保持された頭部装着具（具体的には帽子）を着用すると、脳血流量が増加するという驚くべき知見が得られた。そして、脳血流量の増加によって認知症の予防や回復、脳梗塞の再発防止といった効能が期待できることが明らかになった。
【００１３】
籾殻炭を頭部に当着することによって脳血流量が増加する機構は未だ明確には解明されていないが、本発明者は次のような機構でないないかと推測している。本発明者等はこれまで籾殻炭の他にも竹炭や木炭などについても実験を行ってきた。しかし、籾殻炭以外の炭では脳血流量の増加は認められなかった。そこで、籾殻炭とその他の炭と違いを調べるため、籾殻炭と竹炭の成分を蛍光Ｘ線分析装置（理学電機工業社製「ＲＩＸ３１００」）により分析した。表１及び表２に分析結果を示す。
【００１４】
【表１】
2016141893.tif 000003
【００１５】
【表２】
2016141893.tif 000004
【００１６】
表１及び表２の分析結果から、籾殻炭にはケイ素（Ｓｉ）が竹炭に比べて約１９０倍も含有されていることがわかった。このことから、籾殻を温度３５０℃〜４００℃で蒸し焼きして籾殻炭（籾殻燻炭）を生成する際に、籾殻に多く含まれるケイ素が、下記式（１）、（２）に示す化学反応によって炭素や窒素と結合して炭化ケイ素や窒化ケイ素が生成されるものと考えられる。
ＳｉＯ２＋３Ｃ→ＳｉＣ＋２ＣＯ      ・・・・・・・（１）
３ＳｉＯ２＋６Ｃ＋２Ｎ２→Ｓｉ３Ｎ４＋６ＣＯ   ・・・（２）
【００１７】
炭化ケイ素や窒化ケイ素は赤外線放射率が高いので、炭化ケイ素や窒化ケイ素から放射される赤外線（特に近赤外線）が脳内深部まで到達して細胞等を加熱し血流や体液の循環が活発化するのではないかと本発明者等は推測している。なお、炭素も赤外線放射率が高いが、炭素から赤外線が放射され始めるのは温度２００℃以上とされており、体温程度の温度では赤外線の放射は期待できない。
【００１８】
本発明で使用する籾殻炭の製造方法に特に限定はなく、従来公知の製造方法を用いればよい。また、市販の籾殻炭を使用しても構わない。
【００１９】
本発明の頭部装着具において籾殻炭の充填方法又は保持方法に特に限定はないが、粉末状の籾殻炭が頭部装着具から漏れ出ることなく、また均一に分散配置するようにする観点などからは、籾殻炭をパルプ材料に担持させてチップ状に圧縮成形して用いるのが好ましい。
【００２０】
本発明で使用するパルプ材料としては、現在製紙工業などで使用されているパルプ材料を適宜選択して用いることができる。パルプ材料の種類は特に限定されるものではなく、例えば、機械パルプ、セミケミカルパルプ、ケミカルパルプ及び古紙パルプ等が挙げられる。この他にも、麻パルプ、リンターパルプ、藁パルプおよび合成パルプ等の非木材パルプを本発明のパルプ材料として用いることもできる。
【００２１】
籾殻炭をパルプ材料に担持させる方法としては、例えば、パルプ材料と籾殻炭との混合物に適量の水を加えてスラリー状にし、これを乾燥させることにより、パルプ材料の内外に籾殻炭を担持させる方法が挙げられる。
【００２２】
成形体における籾殻炭とパルプ材料との混合割合に特に限定はなく、実使用において成形体に割れ、欠け、崩れなどが生じることなく、本発明の効果が奏される範囲において適宜決定すればよい。一般に、乾燥状態においてパルプ材料１００重量部に対して籾殻炭が２５〜２５０重量部の範囲、好ましくは５０〜１５０重量部の範囲とするのが好ましい。
【００２３】
なお、成形体には、籾殻炭及びパルプ材料の他、本発明の効果を阻害しない範囲において従来公知の添加物を含有していても良い。このような添加物としては、例えば、室内の水分、ホルムアルデヒドやアルキルベンゼン等のシックハウスの原因となる有害物質や生活臭の原因となる物質を吸着する吸着剤、マイナスイオンを発生させるトルマリンやレアアース鉱石等が挙げられる。前記吸着剤としては、具体的には、酸化カルシウムや酸化マグネシウム等のアルカリ土類金属や遷移金属の酸化物、水酸化物或いは塩化物、更にシリカゲル、ゼオライト、パーライト、バーミキュライト、アルミナ、木炭、竹炭、活性炭、活性白土等が挙げられる。
【００２４】
これら添加物の添加量は、成形体における籾殻炭の含有量が６０重量％未満とならないようにするのが好ましい。
【００２５】
成形体は、袋材に充填されたり、布に接着された状態で装着具の本体に充填又は保持される。従って、充填や接着の容易さ、充填後の偏り、或いは、肌触り等の使用感に鑑みて、例えば、切断、粉砕、破砕などの手段により、成形体は以下の形状や大きさにすることが好ましい。
【００２６】
成形体の形状としては人体頭部に違和感なく当てることができる形状であればよく、本発明の頭部装着具の使用状態に応じて適宜決定すればよい。通常、成形体の形状は、平面形状が三角形、矩形、多角形、楕円形、円形で、厚さが３ｍｍ〜５０ｍｍ、より好ましくは５ｍｍ〜３５ｍｍの平板状あるいは大きさが３ｍｍ〜５０ｍｍの粒状や塊状であるのが好ましい。
【００２７】
籾殻炭の保持方法としては成形体とする他に、化学繊維に籾殻炭を練り込む、あるいは籾殻炭を含有するコート層を繊維に形成し、これらの繊維を紡織してシート状にして頭部装着具の全部又は一部の材料として使用する方法が考えられる。
【００２８】
前述のように、籾殻炭には脳血流量の増加作用があり、この脳血流量の増加作用は、籾殻炭から放射される近赤外線によって発現するものと解される。従って、脳血流量の増加作用を効率良く発現させるためには、籾殻炭を人体の頭部に近い位置にできるだけ長い時間配置することが好ましい。そこで、本発明者等は頭部装着具に籾殻炭を充填又は保持させることとした。頭部装着具としては人体の頭部に装着する従来公知の装着具を使用でき、例えば帽子、ヘッドギア、ヘッドキャップ、ヘアバンドなどが挙げられる。
【００２９】
図１に、本発明に係る頭部装着具の一実施形態を示す帽子の斜視図を示す。この図に示す帽子４は、籾殻炭を６０ｗｔ％含有する１．５ｍｍ×１．５ｍｍ(厚さ３．５ｍｍ)のチップ状の成形体１が帽子本体の内周面に敷き詰められており、その上から布製のシート５が張設されたものである。成形体１は、籾殻炭２とパルプ材料３とを媒体としても水に混合してスラリー状とし、乾燥させた後、前記チップ状に裁断したものであって、図２に示すようにパルプ材料３の内外に籾殻炭２が担持された構造となっている。
【実施例】
【００３０】
以下、本発明を実施例によりさらに詳しく説明するが本発明はこれらの例に何ら限定されるものではない。
【００３１】
図１に示す帽子を被験者Ａ〜Ｃに表３に示すそれぞれの期間使用してもらった後、使用前と使用後の脳血流量をパトラック法によって測定した。なお、帽子は起床時から就寝時まで着用した。測定結果を表３に示す。また合わせて、被験者Ａ〜被験者Ｃについて使用前後の脳血流ＳＰＥＣＴ画像を図４〜図９にそれぞれ示す。
【００３２】
【表３】
2016141893.tif 000005
【００３３】
表３及び図３〜図８から明らかなように、被験者Ａ〜被験者Ｃのいずれも本発明に係る帽子を使用することによって脳血流量は明らかに増加していることがわかる。これにより、認知症の予防や脳梗塞の再発防止などが期待できる。
【産業上の利用可能性】
【００３４】
本発明に係る頭部装着具は、その使用によって副作用を生じさせることなく脳血流量の増加を図ることができ、認知症の予防や改善、脳梗塞の再発防止や改善等を図ることができ有用である。
【符号の説明】
【００３５】
１    成形体
２    籾殻炭
３    パルプ材料
４    帽子（頭部装着具）
５    シート
【図１】
2016141893.tif 000006
【図２】
2016141893.tif 000007
【図３】
2016141893.tif 000008
【図４】
2016141893.tif 000009
【図５】
2016141893.tif 000010
【図６】
2016141893.tif 000011
【図７】
2016141893.tif 000012
【図８】
2016141893.tif 000013
【手続補正書】
【提出日】平成27年11月24日(2015.11.24)
【手続補正１】
【補正対象書類名】特許請求の範囲
【補正対象項目名】全文
【補正方法】変更
【補正の内容】
【特許請求の範囲】
【請求項１】
人体の頭部に当てて使用される装着具であって、
籾殻炭が充填又は保持されてなることを特徴とする脳血流量改善用の頭部装着具。
【請求項２】
前記籾殻炭がパルプ材料に担持されチップ状の成形体とされている請求項１記載の頭部装着具。
【請求項３】
前記成形体の形状が、平板状、粒状及び塊状の少なくとも１つの形状である請求項２記載の頭部装着具。
【手続補正２】
【補正対象書類名】明細書
【補正対象項目名】０００７
【補正方法】変更
【補正の内容】
【０００７】
前記目的を達成する本発明に係る脳血流量改善用の頭部装着具は、人体の頭部に着けて使用される装着具であって、籾殻炭が充填又は保持されてなることを特徴とする。